(57)【要約】      （修正有）【課題】立体感を有する文字を押印できるとともに、個人の需要により様々な宝石を封入して、独自性を有し、全体の質感を高めることができる立体印章を提供する。【解決手段】印章本体１１および少なくとも１つの宝石１２を含み、印章本体の底部に立体印面１１１を有し、頂部に収容空間１１０が予め設けられ、少なくとも１つの宝石が収容空間内に封入される。立体印面における文字の線の角度を変更すると、文字自体が立体的な視覚効果を示し、その他の線または図案により立体感を示す必要はない。【選択図】図１
0003217053.tif 000002
【実用新案登録請求の範囲】
【請求項１】
底部に立体印面を有し、頂部に収容空間が予め設けられた印章本体と；
該印章本体の頂部の収容空間内に嵌入される少なくとも１つの宝石とを含む、宝石が封入された立体印章。
【請求項２】
該宝石をエポキシ樹脂で収容空間内に封入する、請求項１に記載の宝石が封入された立体印章。
【請求項３】
該印章本体が円柱体である、請求項１に記載の宝石が封入された立体印章。
【請求項４】
該印章本体が角柱体である、請求項１に記載の宝石が封入された立体印章。
【請求項５】
該立体印面が縁を有する、請求項１に記載の宝石が封入された立体印章。
【考案の詳細な説明】
【技術分野】
【０００１】
本考案は、宝石が封入された立体印章の技術に関し、特に印章本体の底部に立体印面を設け、頂部に宝石を封入することにより、立体文字のような文字が押印され、全体の質感および印象を高めることができ、宝石が正のエネルギーを生み出すことができる、宝石が封入された立体印章を指す。
【背景技術】
【０００２】
印章は華人社会で非常に意義のあるものであり、最も一般的には、銀行の口座開設、不動産売買または契約の署名など重要な書類で使用される。印章は数種の様々な材質から選ぶことができ、外観は少なくとも円柱形および角柱形の２つの形状が一般的である。一般的に、円柱形は銀行の口座開設または金銭の流動と関係する業界で使用するのに適しており、角柱形は不動産関係の業界で使用するのに適している。
【０００３】
したがって、印章の形状には適した分野があり、印章の材質も使用者の好みまたは占い師のアドバイスにより、自分に合った印章の材質を選択することができる。さらに、大衆の需要に合わせるため、市場には印章の材質が数多くあり、各個人は自分の好きな、また自分に適した印章の材質を見つけることができる。
【０００４】
しかしながら、従来の印章は多くの様々な材質から選ぶことができるが、印章の印面は平面が一般的であり、押印後の文字は、見たところ相当に普通で、特色も有さない。印章の材質はいずれも一体であり、たとえ材質が多様で選択することができても、１つの印章は材質を１種のみ選択して製造するため、外観も相当に普通である。
【０００５】
したがって、立体的な文字を押印することができ、印章本体がより各使用者の需要に符合することができ、さらに外観がより独自性を有し、全体の質感を大幅に高めるものをどのように作り出すかが、本考案が積極的に開示したい部分である。
【考案の概要】
【考案が解決しようとする課題】
【０００６】
本考案の目的は、宝石が封入された立体印章を提供することである。主に印章本体の底部に立体印面が設けられ、印章の押印時、立体感を有する文字を押印することができる。さらに印章本体の頂部に収容空間が凹設され、内部に様々な需要に応じて様々な宝石を封入することにより、全体の質感および品格を高める。個人の好みおよび需要に符合させる目的をより達成することができ、全体の実用性を高める。
【課題を解決するための手段】
【０００７】
上記目的を達成するため、本考案は宝石が封入された立体印章を提供し、これは印章本体および少なくとも１つの宝石を含む。印章本体の底部に立体印面を有し、頂部に収容空間が予め設けられ；宝石は、印章本体の頂部の収容空間内に嵌入される。
【０００８】
好ましい実施例において、宝石をエポキシ樹脂で収容空間内に封入することにより、宝石の酸化を防止し、宝石が永久的に変質しないことを確実に保証する。印章本体は円柱体、角柱体またはその他の形状でよい。また、立体印章は区、市役所などでの印鑑登録に適するよう、縁を有するように設計する。
【図面の簡単な説明】
【０００９】
【図１】図１は、本考案の宝石が封入された立体印章の好ましい実施例における立体構造図である。
【図２】図２は、本考案の宝石が封入された立体印章の好ましい実施例における立体外観図である。
【図３】図３は、本考案の宝石が封入された立体印章の好ましい実施例における押印された文字の概要図である。
【図４】図４は、本考案の宝石が封入された立体印章のもう１つの好ましい実施例における立体外観図である。
【考案を実施するための形態】
【００１０】
以下、特定の具体的な実施例により、本考案の考案を実施するための形態を説明する。当業者は本明細書で開示した内容により、本考案のその他の利点および効果を容易に理解することができる。
【００１１】
以下、図を参考にして、本考案の実施例を説明する。以下の図は簡略化した概要図であることに注意すべきであり、例示的な方式で本考案の基本的構想を説明したに過ぎない。図中には、本考案と関係する構造のみを例示しており、実際に実施するときの部品の数、形状および寸法に応じて示したのではない。実際に実施するときの各部品の形状、数量および比率は図に限定されず、実際の設計の需要により変更することができる。以上は予め説明すべきことである。
【００１２】
まず、図１、図２および図３に示すのは、本考案の自ら組み立てることができる、宝石が封入された立体印章の好ましい実施例における立体構造図、立体外観図および押印された文字の概要図である。図に示すように、本考案の宝石が封入された立体印章１は、印章本体１１および少なくとも１つの宝石１２を含む。印章本体１１の底部に立体印面１１１を有し、頂部に収容空間１１０が予め設けられ；少なくとも１つの宝石１２は、印章本体１１の頂部の収容空間１１０内に嵌入される。本実施例において、印章本体１１は円柱体の構造である。
【００１３】
好ましい実施例において、宝石１２をエポキシ樹脂で収容空間１１０内に封入することにより、宝石１２の酸化を防止し、宝石１２を永久的に新品のようにする。宝石１２の材質は購入者の好みまたは需要に基づくことができ、様々な種類の宝石１２を嵌入した後、エポキシ樹脂で収容空間１１０内に封入する（図２に示す）。他に、立体印面１１１は縁を有し、押印後の文字はより美しく立体的で洗練されている。したがって、立体印面１１１における文字の線の角度を変更することにより、文字自体が立体的な視覚効果を示すことができ、その他の線または図案により立体感を示す必要はない（図３に示す）。
【００１４】
さらに図４に示すのは、本考案の宝石が封入された立体印章のもう１つの好ましい実施例における立体外観図である。図に示すように、本考案の印章本体１１は角柱体の構造でもよい。同様に、宝石１２をエポキシ樹脂で印章本体１１の収容空間１１０内に封入することができ、同様に、方形の縁を有する立体的な文字を押印することができる。同様に、印章の全体の質感および独自性を高めることもできる。
【００１５】
さらに、宝石１２の材質の種類については、中国伝統の命理、五行、三合、六合などに基づき、自分の干支と合う宝石を選択するか、または西洋の星座に基づき、適した宝石１２を選択して嵌入し、封入することができ、これにより各方面の運勢を高める効果を有する。
【００１６】
既知の技術と比較すると、本考案の宝石が封入された立体印章は、主に底部に立体印面が設けられ、押印された字体はより立体的で、美しい。さらに立体印面における文字の線の角度を変更することにより、文字自体が立体的な視覚効果を示すことができ、その他の線または図案により立体感を示す必要はない。さらに印章本体の頂部に宝石が封入され、全体の質感を高め、より独自性を有する。使用または収蔵がいずれも適しており、全体の実用性をより高めることができる。
【００１７】
前述の記載および図により、本考案の好ましい実施例を開示した。しかし、各種の追加、多くの修正および置換は、本考案の好ましい実施例に用いることができるが、添付した実用新案登録請求の範囲で画定した本考案の原理の主旨および範囲を逸脱しないことを理解しなければならない。当業者は、本考案を多くの形式、構造、配置、比率、材料、部品および組立品の修正に用いることができることを理解することができる。したがって、本文によって開示された実施例は、本考案を説明するものであり、本考案を限定するものではないと見なすべきである。本考案の範囲は、添付した実用新案登録請求の範囲により画定され、その合法的な均等物を包含するべきであり、前の記載に限定されない。
【符号の説明】
【００１８】
１  宝石が封入された立体印章
１１  印章本体
１１０  収容空間
１１１  立体印面
１２  宝石
【図１】
0003217053.tif 000003
【図２】
0003217053.tif 000004
【図３】
0003217053.tif 000005
【図４】
0003217053.tif 000006